(57)【要約】【課題】ヒートローラが提供する加熱機構を容易に交換可能なシート処理装置を提供する。【解決手段】実施形態において、シート処理装置は、加熱手段と、ガイド手段と、第一の案内手段と、第二の案内手段と、を具備する。加熱手段は、回転中心を規定する軸線が実質的に平行になるよう位置する一対のローラ間が規定する加熱機構にシートを通過させる。ガイド手段は、前記加熱手段の所定位置に設けられ、前記加熱手段の第一の方向への移動時に前記加熱手段の移動を補助する。第一の案内手段は、前記加熱手段の前記ガイド手段の前記第一の方向への移動を案内する。第二の案内手段は、前記加熱手段の前記ガイド手段の前記第一の方向への移動を終了する位置を規定するとともに前記第一の案内手段と共働して前記ガイド手段を所定位置に案内する。【選択図】図５
2014149397.tif 000002
【特許請求の範囲】
【請求項１】
回転中心を規定する軸線が実質的に平行になるよう位置する一対のローラ間が規定する加熱機構にシートを通過させる加熱手段と、
前記加熱手段の所定位置に設けられ、前記加熱手段の第一の方向への移動時に前記加熱手段の移動を補助するガイド手段と、
前記加熱手段の前記ガイド手段の前記第一の方向への移動を案内する第一の案内手段と、
前記加熱手段の前記ガイド手段の前記第一の方向への移動を終了する位置を規定するとともに前記第一の案内手段と共働して前記ガイド手段を所定位置に案内する第二の案内手段と、
を具備するシート処理装置。
【請求項２】
前記第二の案内手段は、前記加熱手段の動作時に、前記シート処理装置内に格納される請求項１のシート処理装置。
【請求項３】
前記第二の案内手段の前記移動を終了する位置は、前記加熱手段に、前記ガイド手段を回転中心とした所定角度の回転を可能とする請求項１または２のシート処理装置。
【請求項４】
前記第二の案内手段は、前記ガイド手段を案内する溝部を含み、
前記溝部は、前記加熱手段を前記第一の方向よりも重力方向に向けて案内する第一の傾きと、前記加熱手段を前記第一の傾きと傾きの方向が異なる方向に向けて案内する第二の傾きと、前記加熱手段の前記ガイド手段の前記第一の方向への移動を終了する位置を規定する端部と、を含む
請求項１〜３のいずれかのシート処理装置。
【請求項５】
前記第二の案内手段及び前記加熱手段を収容するカバー手段
をさらに具備する請求項２〜４のいずれかのシート処理装置。
【発明の詳細な説明】
【技術分野】
【０００１】
本発明の実施形態は、顕像化材すなわち色材により可視化した画像をシートに固定する定着装置や可視化した画像の色を消色する消去装置に用いる加熱装置を有するシート処理装置に関する。
【背景技術】
【０００２】
顕像化材すなわち色材により可視化した画像をシートに固定する定着装置や可視化した画像の色を消去し、シートを再利用する消去装置に用いる加熱装置を有するシート処理装置がある。
【０００３】
加熱装置は、例えば熱源を備えたヒートローラとヒートローラに押圧するプレスローラとからなる加熱機構を有し、加熱機構に色材を支持するシート及び色材を搬送し、加熱処理を行う構成が一般的である。
【先行技術文献】
【特許文献】
【０００４】
【特許文献１】特開２００５−２６６１５７号公報
【発明の概要】
【発明が解決しようとする課題】
【０００５】
しかしながら、加熱により、色材を支持するシートに熱カールが生じることが知られている。このため、加熱機構に移動するシートの端部がヒートローラの外周面に一定以上の角度で当たり易く、ヒートローラの表面のコーティングを傷つけ、ヒートローラの耐久性を低下することがある。このような背景から、加熱機構のヒートローラに傷がつく、等の理由で加熱機構をユーザが交換することが必要である。
【０００６】
本発明の目的は、ヒートローラが提供する加熱機構を容易に交換可能な加熱装置を有するシート処理装置を提供することである。
【課題を解決するための手段】
【０００７】
実施形態において、シート処理装置は、加熱手段と、ガイド手段と、第一の案内手段と、第二の案内手段と、を具備する。加熱手段は、回転中心を規定する軸線が実質的に平行になるよう位置する一対のローラ間が規定する加熱機構にシートを通過させる。ガイド手段は、前記加熱手段の所定位置に設けられ、前記加熱手段の第一の方向への移動時に前記加熱手段の移動を補助する。第一の案内手段は、前記加熱手段の前記ガイド手段の前記第一の方向への移動を案内する。第二の案内手段は、前記加熱手段の前記ガイド手段の前記第一の方向への移動を終了する位置を規定するとともに前記第一の案内手段と共働して前記ガイド手段を所定位置に案内する。
【図面の簡単な説明】
【０００８】
【図１】実施形態のシート処理装置の一例を示す。
【図２】実施形態のシート処理装置の主要部の一例を示す。
【図３】実施形態のシート処理装置の加熱装置の一例を示す。
【図４】実施形態のシート処理装置の加熱装置の案内機構の一例を示す。
【図５】実施形態のシート処理装置の加熱装置の案内機構の一例を示す。
【図６】実施形態のシート処理装置の加熱装置の案内機構の一例を示す。
【図７】実施形態のシート処理装置の加熱装置の案内機構の一例を示す。
【図８】実施形態のシート処理装置の加熱装置の案内機構の一例を示す。
【図９】実施形態のシート処理装置の加熱装置の案内機構の一例を示す。
【図１０】実施形態の加熱装置を適用する画像形成装置の一例を示す。
【図１１】実施形態の加熱装置の案内機構の一例を示す。
【発明を実施するための形態】
【０００９】
以下、実施の形態について図面を参照して説明する。
【００１０】
図１及び図２に示すシート処理装置１０１は、給紙部１０、消去部２０、読取部３０、搬送部４０、消色装置制御部５０、排紙部６０、表示部７０及び操作部８０を少なくとも含む。なお、図２は、シート処理装置１０１について主要なブロックを単位として説明するブロック図であり、図１は、シート処理装置１０１を、シート（用紙）の搬送及び消色部へのシートの循環（搬送）を中心に説明する概略図である。なお、シート処理装置１０１は、例えば顕像化材すなわち色材により可視化した画像の色を消去し、シートを再利用する消去装置の例である。
【００１１】
給紙部１０は、消色対象の画像（色材）を有する消色前のシート（用紙）を受けつける（シートがセットされる）消色前シート保持部（以下給紙カセットと称する）１１、給紙カセット１１が保持する消色前シートを後段で詳述する消去部２０へ案内する搬送路４１（搬送部４０）及び搬送路４１による消色前シートの搬送（移動）を可能とする推進力（搬送力）を消色前シートに与える給紙ローラ１２、搬送ローラ１３及び搬送ローラ１４を、少なくとも含む。
【００１２】
搬送路４１は、後段で詳述する読取部３０と一部が共通の搬送路４２（搬送部４０）と接続する。
【００１３】
搬送路４２（搬送部４０）は、消去部２０へ案内する消色前シートもしくは消去部２０において画像の色が消去（色材の発色が消色）され、消色後のシート（以下消色済シートと称する）を消色シート保持部（以下排紙部と称する）６０へ案内する。搬送路４２は、搬送路４２によるシートの搬送を可能とする推進力を、消色前シート及び消色済シートのそれぞれに与える搬送ローラ３３及び３４を、少なくとも含む。
【００１４】
消去部２０は、以下に説明する読取部３０による読取結果に基づいて、加熱装置すなわち消色装置２１に向けて消色前シートを搬送路４２から分岐する分岐器２２、分岐器２２が分岐した消色前シートを消色装置２１に案内する搬送路４７（搬送部４０）及び消色前シートを消色装置２１に搬送可能とする推進力を消色前シートに与える搬送ローラ２３〜２５、消色装置２１による消色後の消色済シートを搬送路４２へ案内する搬送ローラ２６〜２８を、少なくとも含む。消色装置２１は、回転中心を規定する軸線が実質的に平行になるよう位置する一対のローラ間が規定する加熱機構を通るシートに所定の温度以上の消色温度（熱）を与え、顕色剤の作用を受けて発色する呈色性化合物（色素の前駆体化合物）への顕色剤の効力を低減し、発色状態を解消して消色する第１の加熱ユニット２１０及び第２の加熱ユニット２２０を含む。消色装置２１については図３により後段で詳しく説明する。なお、消色装置２１の近傍のシート処理装置１０１の所定位置には、消色装置２１の交換時に開放する扉（カバー）１１１が位置する。扉１１１は、例えば支点１０１ａを回転中心とする矢印方向の開閉動作により、開放／閉鎖可能である。また、消色装置２１は、扉１１１との間に位置するレール１２１に沿って、移動する。
【００１５】
読取部３０は、搬送路４２を通るシートが消色前シートであることを検出する第１及び第２の画像センサ３１，３２を、少なくとも含む。第１及び第２の画像センサ３１，３２は、例えば反射濃度センサあるいは誘電率測定センサ等であり、搬送路４２を通るシートの両面の画像の有無を検出する。
【００１６】
なお、読取部３０の第１及び第２の画像センサ３１，３２は、例えばＣＭＯＳセンサであり、搬送路４２を通るシートの画像情報を取得する。それぞれの画像センサ３１，３２が取得する画像情報は、記憶装置３６が保持する。記憶装置３６が保持する画像情報は、Ａ−Ｄ（アナログ−デジタル）変換の後、ページメモリ３５を通り、ページ単位である。
【００１７】
搬送路４２は、分岐器２２が分岐する消色済シートを排紙部６０へ案内する搬送路４３と接続する。
【００１８】
搬送路４３（搬送部４０）は、排紙分岐器１６及び搬送ローラ１５を、少なくとも含み、分岐器２２が分岐する消色済シートを、排紙部６０の第１の消色済シート保持部（以下再利用カセットと称する）６１または第２の消色済シート保持部（以下ストッカと称する）６２のいずれかへ、案内する。なお、再利用カセット６１が収容する消色済シートは、搬送ローラ６３及び搬送路４４（搬送部４０）が案内する。また、ストッカ６２が収容する消色済シートは、搬送ローラ６３〜６５及び搬送路４５，４６（それぞれ搬送部４０）が案内する。
【００１９】
なお、搬送路４２に対してシートを供給可能な所定の位置、例えば給紙カセット１１が供給するシートを搬送する搬送路４１あるいは消色装置２１による消色後の消色済シートを搬送路４２へ搬送する搬送路４７の搬送路４２に対して上流となる位置には、給紙カセット１１を経由することなく消色前シートを消色装置２１すなわち消去部２０へ供給する手差し給紙部１７及び搬送ローラ１８を含む手差し搬送路４８が接続する。
【００２０】
制御部５０は、例えばＣＰＵ（Central Processing Unit，主制御装置）５１、ＲＯＭ（Read Only Memory，読出専用メモリ）５２、ＲＡＭ（Random Access Memory，書き換え可能メモリ）５３、入出力（Ｉ／Ｏ）ポート５４、モータドライバ５６、搬送路切換制御部（分岐器駆動部）５７、温度制御部５８及び電源部５９等を、少なくとも含む。なお、表示部７０及び操作部８０が制御部５０と接続する。また、表示部７０及び操作部８０は、例えばタッチパネル等を用いて、一体的に形成することも可能である。
【００２１】
主制御装置（ＣＰＵ）５１は、ＲＯＭ５２が保持する動作プログラムに従い各部の動作を制御する。
【００２２】
ＲＯＭ５２は、消色装置２１を動作するための動作プログラムや、第１及び第２の画像センサ３１，３２による検出結果との比較に用いる参照値、等を保持する。
【００２３】
ＲＡＭ５３は、Ｉ／Ｏポート５４を通じて入力する、例えば第１及び第２の画像センサ３１，３２による検出結果、入出力ポート５４を通じて入力する各搬送路４１〜４８（搬送部４０）の所定の位置に用意されるＪＡＭセンサからの入力の受けつけ、操作部８０による指示入力（操作情報）に従う処理ルーチンの実行時の一時的なデータの保持等を受け持つ。
【００２４】
Ｉ／Ｏポート５４は、例えば第１及び第２の画像センサ３１，３２からの検出結果を、ＣＰＵ（主制御部）５１が処理可能な形式に変換する。Ｉ／Ｏポート５４はまた、操作部８０からの指示入力をＣＰＵ５１が処理可能に変換する。Ｉ／Ｏポート５４はまた、給紙部１０、消去部２０、読取部３０、搬送部４０及び排紙部６０、が含むさまざまな要素、例えばモータや分岐器への制御指示、任意のセンサ等が検出する検出値の受け取り等に寄与する。
【００２５】
モータドライバ５６は、例えば消色装置２１の前後（上流側及び下流側）に位置する搬送ローラ２３〜２８を駆動する搬送モータ２９あるいは任意のモータ他の各部のローラを駆動する。
【００２６】
排紙部６０は、図１により説明した搬送路４３を経由した消色済シートを、分岐器１６を通じて再利用カセット（第１の消色済シート保持部）６１またはストッカ（第２の消色済シート保持部）６２のいずれかへ、案内する。
【００２７】
操作部８０は、例えばユーザからの制御指示の入力を受けつけ、同制御指示に対応する制御コマンドを、ＣＰＵ５１が読み取り可能に、出力する。
【００２８】
消色装置２１は、図１により説明したが、給紙カセット１１から、搬送路４１、搬送路４２（読取部３０）、搬送路４３及び搬送路４４（排紙部６０）を通り、再利用カセット６１またはストッカ６２相互間に位置する第１の搬送経路から読取部３０（搬送路４２）において分岐する搬送路４７である第２の搬送経路の所定の位置に位置する。
【００２９】
消色装置２１は、図３に示すが、第１の加熱ユニット２１０及び第２の加熱ユニット２２０を含む。なお、第２の搬送経路すなわち搬送路４７の搬送ローラ２３〜２５側を、搬送上流側と称する。また、第２の搬送経路すなわち搬送路４７の搬送ローラ２６〜２８側を、搬送下流側と称する。
【００３０】
第１の（搬送上流側）加熱ユニット２１０は、一対のヒートローラ２１１及びプレスローラ２１２からなる。ヒートローラ２１１は、ローラ内部に熱源ランプ２１３を、ローラ外周に温度検知部２１４を備える。
【００３１】
第２の（搬送下流側）加熱ユニット２２０は、一対のヒートローラ２２１及びプレスローラ２２２からなる。ヒートローラ２２１は、ローラ内部に熱源ランプ２２３を、ローラ外周に温度検知部２２４を備える。
【００３２】
第１の加熱ユニット２１０のヒートローラ２１１の熱源ランプ２１３の熱容量は、第２の加熱ユニット２２０のヒートローラ２２１の熱源ランプ２２３の熱容量と概ね等しい。
【００３３】
第１の加熱ユニット２１０及び第２の加熱ユニット２２０は、ヒートローラ２１１，２２１の位置が第２の搬送経路に対して逆向きに位置する。実施の形態における配列では、ヒートローラ２１１が第２の搬送経路を通るシートの一方の面（第２の画像センサ３２側の面、以下必要に応じて表面と称する）と接する。従い、ヒートローラ２２１が第２の搬送経路を通るシートの他の一方の面（第１の画像センサ３１側の面、以下必要に応じて背面と称する）と接する。
【００３４】
第１の加熱ユニット２１０あるいは第２の加熱ユニット２２０のいずれか、もしくはそれぞれは、例えば１本のローラとエンドレスベルトによりニップを形成するものであってもよい。第１の加熱ユニット２１０の熱源ランプ２１３あるいは第２の加熱ユニット２２０の熱源ランプ２２３は、例えばヒートローラの金属面（あるいはベルトの金属層）に誘導熱を生じさせるＩＨ（誘導加熱）ヒータであってもよい。
【００３５】
消色装置２１はまた、内部の温度を維持するとともに外部温度が安全基準温度を超えることの無いよう、第１及び第２の加熱ユニット２１０、２２０の周りを覆うカバー２０１を有する。カバー２０１の第１の加熱ユニット２１０のプレスローラ２１２側には、消色装置２１の交換時に消色装置２１の移動を容易とするスタッド（ガイドピン）２０２及び消色装置２１の交換を容易とするもち手２０３が位置する。
【００３６】
次に、搬送動作を説明する。
【００３７】
消色及び読み取りのモードにおいては、画像の色（顕像化材すなわち色材が発する色）を消色すべきシートは、給紙部１０から第１の搬送経路を通り、読取部３０に位置する。
【００３８】
読取部３０において、第１及び第２の画像センサ３１，３２が、シート上の画像情報を読み取る。第１及び第２の画像センサ３１，３２が読み取ったシート上の画像情報は、記憶装置３６が保持する。
【００３９】
読取部３０を通過するシートは、第２の搬送経路（搬送路４７）を通り、搬送上流側の搬送ローラ２５を経由して消色装置２１の第１の加熱ユニット２１０に位置し、搬送下流側の第２の加熱ユニット２２０を通過するまでの間に、画像の色を消色する消色処理される。
【００４０】
消色装置２１が消色したシートは、第２の加熱ユニット２２０の搬送下流側の搬送ローラ２６を経由して第２の搬送経路に位置する。
【００４１】
第２の搬送経路に位置する消色済シートは、再度第１の搬送経路に位置し、第１の搬送経路を介して排出部６０の第１の排紙トレイ（再利用カセット）６１あるいは第２の排紙トレイ（ストッカ）６２内に、位置する。
【００４２】
次に、図４〜図６により、加熱装置すなわち消色装置を交換する手順及び交換を容易とするシート処理装置の構造の特徴を示す。
【００４３】
図４は、図１が示すシート処理装置１０１の消色装置２１及び消色装置２１を支持するガイド機構を抜き出した状態を示す。図５は、図４における消色装置２１の近傍のカバー１１１を開放した状態に対応し、カバー１１１を省略し、以下に説明する補助レール１２２を展開した状態を示す。
【００４４】
図４が示すように、消色装置２１は、シート処理装置１０１内の所定の位置において、ガイド機構すなわちレール１２１上に位置する。なお、図４においては、カバー（扉）１１１側が閉じた状態であり、消色装置２１が移動することは無い。また、図４において、カバー１１１を開放することで、消色装置２１が矢印Ａ方向へ移動可能になる。
【００４５】
レール１２１には、カバー１１１が開放した時点で支点１２２ａを回転中心として展開（９０度程度の回転）が可能な補助レール１２２が接続する。補助レール１２２は、消色装置２１のスタッド（ガイドピン）２０２を受け止める突き当て部１２２ｂを有する。
【００４６】
カバー１１１を開放すると、補助レール１２２が矢印Ｂ方向に展開可能となる。従い、図５に示すように、消色装置２１は、レール１２１及び補助レール１２２上を矢印Ａ方向に、移動できる。なお、レール１２１及び展開した補助レール１２２が伸びる矢印Ａ方向は、重力が作用する重力方向と概ね直交する水平方向である。
【００４７】
図５に示すように、補助レール１２２上を移動する消色装置２１は、スタッド２０２が突き当て部１２２ｂに接することにより、突き当て部１２２ｂの位置で停止する（突き当て部１２２ｂを超えて矢印Ａ方向に移動することは無い）。
【００４８】
図６は、図５が示す展開した補助レール１２２上を、突き当て部１２２ｂまで移動した消色装置２１の動作を示す。
【００４９】
補助レール１２２上を突き当て部１２２ｂまで移動した消色装置２１は、自重により、スタッド２０２を回転中心として、図６に示すように、レール１２１及び展開した補助レール１２２が伸びる矢印Ａ方向と実質的に直交し、重力が作用する重力方向である矢印Ｃ方向に９０度程度回転する。すなわち、消色装置２１は、もち手２０３がレール１２１及び展開した補助レール１２２が伸びる矢印Ａ方向と直交し、重力方向と逆向きの補助レール１２２が伸びる方向と直交する矢印Ｄ方向（矢印Ａ方向と概ね直交する取出し方向）になるよう、概ね９０度旋回する。従い、消色装置２１が、消色装置２１の取り出しが容易な取り出し方向による取り出しが可能となる。すなわち、比較的重量がある構造物を移動する際には、水平方向（矢印Ａ方向）への移動に比較して矢印Ｄ方向のような重力方向の移動が有利であるため、消色装置２１を取り外す利用者（ユーザ）が感じることのある重量感を低減できる。
【００５０】
展開時の補助レール１２２の支点１２２ａと突き当て部１２２ｂとの間の距離ｘ１は、図７(ａ)及び図７(ｂ)に示すように、消色装置２１の高さ方向ｙに比較して、    
ｘ１−ｘ２  ＞  ｙ    
ｘ２  ＜  ｙ  ＜  ｘ１    
となる飛び出し防止距離ｘ２に基づいて設定されている。飛び出し防止距離ｘ２は、シート処理装置１０１のカバー１１１を閉じた状態の外形位置と補助レール１２２の支点１２２ａとの間の距離である。
【００５１】
すなわち、補助レール１２２のスタッド１２２ｂまでの距離ｘ１を、飛び出し防止距離ｘ２と関連付けて規定することで、補助レール１２２の突き当て部１２２ｂまで消色装置２１を引き出した場合に、消色装置２１が突然、シート処理装置１０１本体から外れる（抜け落ちる）ことが防止できる。
【００５２】
これにより、消色装置２１を取り外す利用者（ユーザ）は、スタッド２０２が突き当て部１２２ｂに接し、消色装置２１が概ね９０度旋回した以降に、図６の矢印Ｄ方向の重量感を感じにくい方向へ、消色装置２１を取り外すことができる。また、消色装置２１が突然シート処理装置１０１本体から外れる（抜け落ちる）ことが防止できるため、消色装置２１の交換時の安全性が向上する。
【００５３】
なお、補助レール１３１（図４〜図６の実施形態との識別のためを１３１と記載）は、図８及び図９に示すように、消色装置２１のスタッド２０２を案内する案内溝１３１ｂを有してもよい。
【００５４】
図８及び図９が示す案内溝１３１ｂは、矢印Ａ方向に伸びるレール１２１との接続点である支点１３１ａを回転中心として、レール１２１と概ね水平となるよう、矢印Ｂ方向に概ね９０度、展開する補助レール１３１において、消色装置２１の移動を案内する。
【００５５】
案内溝１３１ｂは、例えばレール１２１からの消色装置２１の離脱を容易とするため、レール１２１が伸びる水平方向（矢印Ａ方向）よりも、僅かに重力方向に消色装置２１を誘導する。
【００５６】
案内溝１３１ｂは、補助レール１３１の端部の近傍に、消色装置２１にかかる重力方向の力を受けとめる終端部１３１ｃを有する。
【００５７】
より詳細には、案内溝１３１ｂは、レール１２１を離脱して終端部１３１ｃに移動する消色装置２１を、消色装置２１の自重を利用して容易にレール１２１から離脱するとともに、終端部１３１ｃを飛び越えることの無いよう、重力方向と概ね逆向きの力が作用する勾配を伴う。
【００５８】
従って、消色装置２１は、終端部１３１ｃまでの区間を、案内溝１３１ｂに沿ってスムースに移動する。
【００５９】
終端部１３１ｃまで案内溝１３１ｂを移動する消色装置２１は、終端部１３１ｃにおいて、自重により、スタッド２０２を回転中心として、レール１２１及び展開した補助レール１３１が伸びる矢印Ａ方向と実質的に直交し、重力が作用する重力方向である矢印Ｃ方向に９０度程度回転する。すなわち、消色装置２１は、もち手２０３がレール１２１及び展開した補助レール１２２が伸びる矢印Ａ方向と直交し、重力方向と逆向きの補助レール１２２が伸びる方向と直交する矢印Ｄ方向（矢印Ａ方向と概ね直交する取出し方向）になるよう、概ね９０度旋回する。
【００６０】
図８（図９）のような案内溝１３１ｂを用いることで、より安全に、しかも確実に消色装置２１をシート処理装置１０１から取り外すことができる。
【００６１】
なお、案内溝１３１ｂの終端部１３１ｃを、平坦（重力による自由落下を抑止できる形状）とすることで、一時的に消色装置２１の荷重をユーザ（利用者）に感じさせない状態を提供でき、消色装置２１の取り外し、あるいは装着がより安定に実行できる。
【００６２】
図１０に、加熱装置が顕像化材すなわち色材により可視化した画像をシートに固定する定着装置である画像形成装置の一例を示す。
【００６３】
図１０に示す画像形成装置３０１は、Ｃ，Ｍ，Ｙ，Ｂｋの４色の色材で４つの単色画像を形成してカラー画像を形成する４つの画像形成ステーション３１１，３１２，３１３及び３１４を有する。
【００６４】
４つの単色画像は、転写ベルト３３４上で重なり、転写装置３３５において、カセット３４２からのシートに移動する。
【００６５】
シート上の画像は、定着装置３４１からの熱及び圧力によりシートに固着（定着）する。定着装置３４１は、図１１に示す（図５及び図６に説明したレール１２１及び補助レール１２２と同様に）構成するレール３２１及び支点３２２ａを回転中心として展開した補助レール３２２上を移動し、スタッド３０２が突き当て部３２２ｂに接することにより、突き当て部３２２ｂで停止する。
【００６６】
補助レール３２２上を突き当て部３２２ｂまで移動した定着装置３４１は、スタッド３０２を回転中心として、自重によりレール３２１及び展開した補助レール３２２が伸びる矢印Ａ方向と実質的に直交し、重力が作用する重力方向である矢印Ｃ方向に９０度程度回転する。すなわち、定着装置３４１は、もち手３０３がレール３２１及び展開した補助レール３２２が伸びる矢印Ａ方向と直交し、重力方向と逆向きの補助レール１２２が伸びる方向と直交する矢印Ｄ方向（矢印Ａ方向と概ね直交する取出し方向）になるよう、概ね９０度旋回する。従い、定着装置３４１が、定着装置３４１の取り出しが容易な取り出し方向による取り出しが可能となる。すなわち、比較的重量がある構造物を移動する際には、水平方向（矢印Ａ方向）への移動に比較して矢印Ｄ方向のような重力方向の移動が有利であるため、消色装置２１を取り外す利用者（ユーザ）が感じることのある重量感を低減できる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
２０…消去部、２１…消色装置（加熱装置）、４０…搬送部、５０…制御部（主制御装置）、１０１…シート処理装置、１１１…カバー（扉）、１２１…レール、１２２（１３１）…補助レール、２０１…カバー、２０２…スタッド、２１０…第１の加熱ユニット、２１１…ヒートローラ、２２０…第２の加熱ユニット、２２１…ヒートローラ。
【図１】
2014149397.tif 000003
【図２】
2014149397.tif 000004
【図３】
2014149397.tif 000005
【図４】
2014149397.tif 000006
【図５】
2014149397.tif 000007
【図６】
2014149397.tif 000008
【図７】
2014149397.tif 000009
【図８】
2014149397.tif 000010
【図９】
2014149397.tif 000011
【図１０】
2014149397.tif 000012
【図１１】
2014149397.tif 000013